(57)【特許請求の範囲】
【請求項１】
絶縁材からなり、一面側に開口部を設けた箱形の筐体と、この筐体に取り付けられた複数個の固定接点と、移動可能に保持された操作部材と、この操作部材に保持され、前記固定接点に接離して接点の切換を行う可動接点と、前記筐体内部を密封する防水部材と、前記筐体に取り付けられるカバーとを備え、前記筐体は、底壁と、この底壁から上方に突出する環状の側壁と、前記底壁と前記側壁とで囲まれた収容部と、前記側壁の一端側に設けられた前記開口部とを有し、前記収容部には、前記固定接点の接点部と前記可動接点、及び前記可動接点を保持する前記操作部材の本体部が収容され、前記防水部材は、平板状部と、この平板状部から上方に突出したドーム部とを有し、前記側壁の前記開口部側に位置する環状の端面全体には、前記防水部材の前記平板状部が前記カバーによって押し付けられて、前記収容部内を密封状態にすると共に、前記カバーの挿通孔を通って外方に突出する前記ドーム部内には、前記操作部材の操作部が配置された密封型のプッシュスイッチにおいて、前記可動接点は、バネ性ある金属板が折り曲げられて形成され、開放部を設けて互いに対向して配置された第１，第２の基部と、互いに間隔を置いて配置され、前記第１，第２の基部を連結する第１，第２の連結部と、この第１，第２の連結部間に位置した状態で、互いに対向するように前記第１，第２の基部から突出して設けられた少なくとも２個の第１，第２の接触部とを有し、前記第１，第２の連結部がＵ字状に折り曲げられて形成されると共に、前記第１，第２の連結部間に設けられた孔内には、前記第１，第２の接触部が配置され、前記第１，第２の基部が前記第１，第２の接触部よりも前記底壁に近い位置に配置されて、前記固定接点が前記第１，第２の基部の開放部を通って前記第１，第２の接触部に至るようにし、前記底壁から上方に延びる前記固定接点の前記接点部は、前記第１，第２の基部間に位置する前記開放部と、前記第１，第２の接触部間に位置し、前記操作部材の操作によって、前記可動接点が前記接点部の延びる方向に移動して、前記第１，第２の接触部を介して２個の前記固定接点間をＯＮ、ＯＦＦするようにしたことを特徴とする密封型のプッシュスイッチ。
【請求項２】
前記ドーム部の頂部には孔が設けられ、前記操作部の先端部に設けられた凸部が前記孔に挿通されて、前記ドーム部にカシメ付けられたことを特徴とする請求項１記載の密封型のプッシュスイッチ。
【請求項３】
前記操作部材と前記筐体間には、前記操作部材を付勢する付勢部材が介在されて、前記操作部の先端部が前記ドーム部の頂部の内面に当接したことを特徴とする請求項１記載の密封型のプッシュスイッチ。
【請求項４】
前記カバーは、前記挿通孔を有する上面板と、この上面板から下方に延びる少なくとも一対の側面板を有し、この側面板と前記筐体の前記側壁とが係止手段によってスナップ結合されたことを特徴とする請求項１から３の何れかに記載の密封型のプッシュスイッチ。
【請求項５】
前記収容部内に収容される前記本体部の外周は、前記収容部の外形に沿った形状で形成され、前記本体部が前記側壁の内面にガイドされて移動するようにしたことを特徴とする請求項１から４の何れかに記載の密封型のプッシュスイッチ。
【請求項６】
前記本体部は、前記可動接点を収納するために下部に設けられた収納部と、この収納部の上部に設けられた貫通孔を有し、少なくとも前記本体部の移動時、前記接点部が前記貫通孔内に位置するようにしたことを特徴とする請求項１から５の何れかに記載の密封型のプッシュスイッチ。
【発明の詳細な説明】
【０００１】
【発明の属する技術分野】
本発明はマイクロスイッチ等に使用して好適な密封型のプッシュスイッチに関する。
【０００２】
【従来の技術】
従来の密封型のプッシュスイッチの図面を説明すると、図４は従来の密封型のプッシュスイッチの要部断面図、図５は従来の密封型のプッシュスイッチに係り、要部の拡大断面図である。
【０００３】
次に、従来の密封型のプッシュスイッチの構成を図４、図５に基づいて説明すると、絶縁材からなる絶縁基体５１は、基部５１ａと、基部５１ａの両側部から外方に突出した突部５１ｂを有し、この絶縁基体５１の基部５１ａには、金属板からなる３個の固定接点５２、５３，５４が埋設して取り付けられている。
【０００４】
バネ性のある金属板からなる可動接点５５は、一端が固定接点５２の支持部５２ａに係止された状態で、他端の自由端に設けられた接点部５５ａが固定接点５３，５４間で移動可能に取り付けられている。
【０００５】
コイルバネ５６は、一端が固定接点５２の掛け止め部５２ｂに掛け止めされると共に、他端が可動接点５５に掛け止めされて、このコイルバネ５６によって、可動接点５５が固定接点５２の支持部５２ａを支点として反転動作し、接点部５５ａが固定接点５３，或いは５４に接離するようになっている。
【０００６】
合成樹脂の成形品からなるケース５７は、上面壁５７ａと、この上面壁５７ａに設けられた１個の貫通孔５７ｂと、この貫通孔５７ｂの外周部に位置した状態で、上面壁５７ａの外面に設けられた凹部５７ｃと、この凹部５７ｃの周りに設けられたカシメ用の凸部５７ｄと、上面壁５７ａから下方に突出して設けられた筒状の側壁５７ｅと、上面壁５７ａと側壁５７ｅとで囲まれた収容部５７ｇとを有する。
【０００７】
そして、このケース５７は、可動接点５５やコイルバネ５６等を覆うように絶縁基体５１の上面から被せて、絶縁基体５１の突部５１ｂに係止して、ケース５７と絶縁基体５１両者を接着、或いは溶着によって、ケース５７が絶縁基体５１に取り付けられる。
この時、収容部５７ｇ内には、可動接点５５やコイルバネ５６等が収容された状態となっている。
【０００８】
ゴム等からなるコップ状の防水部材５８は、裾部に設けられたリング状の台座部５８ａと、頂部に設けられた孔５８ｂを有し、この防水部材５８は、台座部５８ａが上面壁５７ａの凹部５７ｃ内に配置された状態で、凸部５７ｄを熱カシメ等することによって、ケース５７に取り付けられている。
【０００９】
絶縁材からなる押し釦５９は、頂部に凸部５９ａを有し、この押し釦５９は、上面壁５７ａの貫通孔５７ｂに挿通されて、移動可能に取り付けられると共に、凸部５９ａが防水部材５８の孔５８ｂに挿通され、凸部５９ａの頂部が熱カシメ等によって潰されて、押し釦５９と防水部材５８とが結合された構成となっている。
【００１０】
そして、上面壁５７ａの凸部５７ｄと、押し釦５９の凸部５９ａのカシメによって、収容部５７ｇにおける貫通孔５７ｂ側での防水が行われているが、接着、或いは溶着の不十分な場合が往々にして生じ、これによって、絶縁基体５１とケース５７との間に隙間Ｓが生じて、収容部５７ｇの密封が不十分な状態となる。
【００１１】
次に、このような構成を有する従来のプッシュスイッチの動作を説明すると、防水部材５８の弾性に抗して押し釦５９を押圧すると、押し釦５９は貫通孔５７ｂをガイドにして移動し、コイルバネ５６の中間部を押圧する。
【００１２】
すると、可動接点５５の中間部が下方に引き下げられて、可動接点５５は、支持部５２ａを支点として反転動作し、固定接点５４の接触状態から固定接点５３との接触状態に変位して、固定接点５２、５３間がＯＮ状態となる。
【００１３】
次に、この状態で、押し釦５９の押圧を解除すると、押し釦５９はコイルバネ５６によって押し戻されて、押圧前の状態に戻ると共に、可動接点５５は支持部５２ａを支点として反転動作し、その結果、固定接点５３から離れて、固定接点５２，５４間がＯＮ状態の元の状態に戻る。
即ち、可動接点５５は、固定接点５３，５４に対してバッティングによる接触状態となっている。
このようにしてプッシュスイッチの操作が行われる。
【００１４】
【発明が解決しようとする課題】
従来のプッシュスイッチは、絶縁基体５１とケース５７を接着、或いは溶着によって固定されるため、組立時間が長くなったり、設備が大がかりになってしまうという問題がある。
また、確実に接着や溶着によって封止されているか確認するのが困難であるばかりか、接着、或いは溶着の不十分な場合が往々にして生じ、これによって、絶縁基体５１とケース５７との間に隙間Ｓが生じて、収容部５７ｇの密封が不十分な状態になるという問題がある。
また、防水部材５８の取付は、上面壁５７ａに設けた凸部５７ｄを熱カシメする必要があり、その取付が面倒で、生産性が悪くなるという問題がある。
また、可動接点５５は、固定接点５３，５４に対してバッティングによる接触であるため、チャタリングを生じるばかりか、片面接触であるため、その接触が不安定で、接触抵抗が高いという問題がある。
【００１５】
そこで、本発明は防水が確実で、生産性も良く、且つ、チャタリングを生じ無い密封型のプッシュスイッチを提供することを目的とする。
【００１６】
【課題を解決するための手段】
上記課題を解決するための第１の解決手段として、絶縁材からなり、一面側に開口部を設けた箱形の筐体と、この筐体に取り付けられた複数個の固定接点と、移動可能に保持された操作部材と、この操作部材に保持され、前記固定接点に接離して接点の切換を行う可動接点と、前記筐体内部を密封する防水部材と、前記筐体に取り付けられるカバーとを備え、前記筐体は、底壁と、この底壁から上方に突出する環状の側壁と、前記底壁と前記側壁とで囲まれた収容部と、前記側壁の一端側に設けられた前記開口部とを有し、前記収容部には、前記固定接点の接点部と前記可動接点、及び前記可動接点を保持する前記操作部材の本体部が収容され、前記防水部材は、平板状部と、この平板状部から上方に突出したドーム部とを有し、前記側壁の前記開口部側に位置する環状の端面全体には、前記防水部材の前記平板状部が前記カバーによって押し付けられて、前記収容部内を密封状態にすると共に、前記カバーの挿通孔を通って外方に突出する前記ドーム部内には、前記操作部材の操作部が配置された構成において、前記可動接点は、バネ性ある金属板が折り曲げられて形成され、開放部を設けて互いに対向して配置された第１，第２の基部と、互いに間隔を置いて配置され、前記第１，第２の基部を連結する第１，第２の連結部と、この第１，第２の連結部間に位置した状態で、互いに対向するように前記第１，第２の基部から突出して設けられた少なくとも２個の第１，第２の接触部とを有し、前記第１，第２の連結部がＵ字状に折り曲げられて形成されると共に、前記第１，第２の連結部間に設けられた孔内には、前記第１，第２の接触部が配置され、前記第１，第２の基部が前記第１，第２の接触部よりも前記底壁に近い位置に配置されて、前記固定接点が前記第１，第２の基部の開放部を通って前記第１，第２の接触部に至るようにし、前記底壁から上方に延びる前記固定接点の前記接点部は、前記第１，第２の基部間に位置する前記開放部と、前記第１，第２の接触部間に位置し、前記操作部材の操作によって、前記可動接点が前記接点部の延びる方向に移動して、前記第１，第２の接触部を介して２個の前記固定接点間をＯＮ、ＯＦＦするようにした構成とした。
【００１７】
また、第２の解決手段として、前記ドーム部の頂部には孔が設けられ、前記操作部の先端部に設けられた凸部が前記孔に挿通されて、前記ドーム部にカシメ付けられた構成とした。
また、第３の解決手段として、前記操作部材と前記筺体間には、前記操作部材を付勢する付勢部材が介在されて、前記操作部の先端部が前記ドーム部の頂部の内面に当接した構成とした。
【００１８】
また、第４の解決手段として、前記カバーは、前記挿通孔を有する上面板と、この上面板から下方に延びる少なくとも一対の側面板を有し、この側面板と前記筺体の前記側壁とが係止手段によってスナップ結合された構成とした。
また、第５の解決手段として、前記収容部内に収容される前記本体部の外周は、前記収容部の外形に沿った形状で形成され、前記本体部が前記側壁の内面にガイドされて移動するようにした構成とした。
【００１９】
また、第６の解決手段として、前記本体部は、前記可動接点を収納するために下部に設けられた収納部と、この収納部の上部に設けられた貫通孔を有し、少なくとも前記本体部の移動時、前記接点部が前記貫通孔内に位置するようにした構成とした。
【００２２】
【発明の実施の形態】
本発明の密封型のプッシュスイッチの図面を説明すると、図１は本発明の密封型のプッシュスイッチを示す分解斜視図、図２は本発明の密封型のプッシュスイッチを示す要部断面図、図３は本発明の密封型のプッシュスイッチの他の実施例を示す要部断面図である。
【００２３】
次に、本発明の密封型のプッシュスイッチの構成を図１、図２に基づいて説明すると、絶縁材の成形品からなる箱形をなした筺体１は、底壁１ａと、この底壁１ａから上方に突出する環状の側壁１ｂと、この側壁１ｂの一端側に設けられた開口部１ｃと、この側壁１ｂの開口部１ｃ側に位置した環状の端面１ｄと、底壁１ａと側壁１ｂとで囲まれた収容部１ｅと、対向する側壁１ｂの外周面に設けられた複数個の楔状の突起１ｆとを有する。
【００２４】
金属板からなる３個の固定接点２は、底壁１ａに埋設して取り付けられ、底壁１ａの一面（上面）から上方に突出して延びる接点部２ａと、底壁１ａから下方に突出して延びる端子部２ｂとを有する。
また、固定接点２の接点部２ａは、３個の内の２個が他の１個よりも高く（長く）形成されると共に、高さの高い２個の内の１個には、孔２ｃが設けられている。
【００２５】
ゴム材等からなる防水部材３は、平板状部３ａと、この平板状部３ａから上方に突出したドーム部３ｂと、ドーム部３ｂの頂部に設けられた孔３ｃとを有し、この防水部材３は、平板状部３ａが側壁１ｂの端面１ｄ上に載置されている。
【００２６】
絶縁材の成形品からなる箱形のカバー４は、略矩形状の上面板４ａと、この上面板４ａに設けられた円形の挿通孔４ｂと、上面板４ａの四方から下方に突出した４つの側面板４ｃと、対向する側面板４ｃに設けられた凹部４ｄとを有する。なお、側面板４ｃは、対向して配置された２個の側面板４ｃで形成しても良い。
【００２７】
そして、このカバー４は、防水部材３を覆うように、筺体１にはめ合わされ、側面板４ｃに設けられた凹部４ｄ内に突起１ｆが嵌入（スナップ結合）して、カバー４が筺体１に取り付けられる。
即ち、突起１ｆと凹部４ｄとで係止手段が構成され、この係止手段がスナップ結合することによって、両者が組み合わされるようになっている。
【００２８】
また、カバー４が筺体１に取り付けられた際、ドーム部３ｂが挿通孔４ｂから外方に突出すると共に、上面板４ａによって、防水部材３の平板状部３ａが端面１ｄ全体に押し付けられて、収容部１ｅ内が密封された状態となっている。
【００２９】
絶縁材の成形品で形成された操作部材５は、本体部５ａと、本体部５ａから上方に突出する円柱状の操作部５ｂと、この操作部５ｂの先端部に設けられた凸部５ｃと、本体部５ａの下部に設けられた収納部５ｄと、この収納部５ｄの上部に設けられた貫通孔５ｅと、収納部５ｄと並設され、操作部５ｂと対向する本体部５ａの下部に設けられた収容部５ｆとを有する。
また、本体部５ａの外周は、筺体１の収容部１ｅの外形に沿った形状で形成されている。
【００３０】
そして、操作部材５は、本体部５ａが防水部材３で密封された筺体１の収容部１ｅ内に移動可能に収容されると共に、操作部５ｂがドーム部３ｂ内に位置した状態で、凸部５ｃが防水部材３の孔３ｃに挿通されて、ドーム部３ｂにカシメ付けられた構成となっている。
【００３１】
また、操作部材５が筺体１に取り付けられた際、本体部５ａは、側壁１ｂの内面にガイドされて、上下方向に移動可能となっており、また、固定接点２の接点部２ａは、収納部５ｄ内に位置するように延びた状態となっていると共に、本体部５ａが移動した時、接点部２ａが貫通孔５ｅ内に位置するようになっている。
即ち、本体部５ａに設けられた貫通孔５ｅは、接点部２ａの逃げ部となっており、これによって、本体部５ａの高さ方向の寸法を小さくしている。
【００３２】
バネ性ある金属板がＵ字状に折り曲げられて形成された可動接点６は、開放部６ａを設けて互いに対向して配置された帯状の第１，第２の基部６ｂ、６ｃと、互いに間隔を置いて配置され、第１，第２の基部６ｂ、６ｃを連結するＵ字状の第１，第２の連結部６ｄ、６ｅと、この第１，第２の連結部６ｄ、６ｅ間に設けられた孔６ｆと、第１，第２の連結部６ｄ、６ｅ間の孔６ｆ内に位置した状態で、互いに対向するように第１，第２の基部６ｂ、６ｃから突出して設けられたクリップ状の３個の第１，第２の接触部６ｇ、６ｈとを有する。
【００３３】
そして、この可動接点６は、第１，第２の接触部６ｇ、６ｈ側を上方にして、操作部材５の収納部５ｄ内に収納された状態で、適宜手段により操作部材５に取り付けられる。
【００３４】
また、可動接点６が操作部材５に取り付けられた際、第１，第２の基部６ｂ、６ｃが第１，第２の接触部６ｇ、６ｈよりも底壁１ａに近い位置に配置されると共に、固定接点２の接点部２ａは、第１，第２の基部６ｂ、６ｃ間に位置する開放部６ａを通って第１，第２の接触部６ｇ、６ｈに至るように延びている。
更に、３組の第１，第２の接触部６ｇ、６ｈのそれぞれは、３個の固定接点２のそれぞれに対応した状態となっている。
【００３５】
そして、操作部材５が上下方向に移動した際、可動接点６は、操作部材５と共に移動し、その結果、第１，第２の接触部６ｇ、６ｈは、固定接点２の接点部２ａの延びる方向に移動して、３個の第１，第２の接触部６ｇ、６ｈのそれぞれが接点部２ａを両面から挟持して接触、或いは接点部２ａから離れて、固定接点２間の切換を行うようになっている。
【００３６】
コイルバネからなる付勢部材７は、操作部材５の収容部５ｆ内に位置した状態で、操作部材５と底壁１ａとの間に介在されて、操作部材５を常時上方に付勢している。
【００３７】
次に、このような構成を有する本発明のプッシュスイッチの動作を説明すると、操作部材５の未作動時においては、図２に示すように、可動接点６は上方に位置した状態にあって、２個の第１，第２の接触部６ｇ、６ｈが高さの高い２個の接点部２ａを挟持して、この２個の固定接点２間がＯＮ状態となっている。
【００３８】
この状態で、操作部５ｂをドーム部３ｂと共に付勢部材７に抗して押圧すると、可動接点６は操作部材５と共に移動して、１個の第１，第２の接触部６ｇ、６ｈは、高さの高い２個の接点部２ａの内の１個に設けられた孔２ｃ内に位置して、非接触状態となる。
【００３９】
そして、高さの高いもう１個の固定接点２ａには、１個の第１，第２の接触部６ｇ、６ｈが接触状態を維持した状態で、もう１個の第１，第２の接触部６ｇ、６ｈが高さの低い接点部２ａを挟持した状態で接触した状態となって、２個の固定接点２間がＯＮ状態となる。
【００４０】
その間において、３個の第１，第２の接触部６ｇ、６ｈは、接点部２ａの延びる方向、即ち、下方に移動すると共に、接点部２ａの先端は、収納部５ｄを通って貫通孔５ｅに侵入した状態となる。
【００４１】
次に、操作部５ｂの押圧を解除すると、操作部材５は、付勢部材７によって、図２に示すように、押圧前の状態に自動的に復帰する。
その間において、可動接点６は操作部材５と共に移動して、３個の第１，第２の接触部６ｇ、６ｈが接点部２ａの延びる方向、即ち、上方に移動すると共に、固定接点２間の接点の切換が行われる。
このようにしてプッシュスイッチの操作が行われる。
【００４２】
また、図３は本発明の密封型のプッシュスイッチの他の実施例を示し、この実施例は、上述した実施例での凸部５ｃと孔３ｃを無くして、操作部５ｂの先端部がドーム部３ｂの頂部の内面に当接したものである。
その他の構成は、前記実施例と同様であり、同一部品に同一番号を付し、ここではその説明を省略する。
【００４３】
【発明の効果】
本発明の密封型のプッシュスイッチは、絶縁材からなり、一面側に開口部を設けた箱形の筺体と、この筺体に取り付けられた複数個の固定接点と、移動可能に保持された操作部材と、この操作部材に保持され、固定接点に接離して接点の切換を行う可動接点と、筺体内部を密封する防水部材と、筺体に取り付けられるカバーとを備え、筺体は、底壁と、この底壁から上方に突出する環状の側壁と、底壁と側壁とで囲まれた収容部と、側壁の一端側に設けられた開口部とを有し、収容部には、固定接点の接点部と可動接点、及び可動接点を保持する操作部材の本体部が収容され、防水部材は、平板状部と、この平板状部から上方に突出したドーム部とを有し、側壁の開口部側に位置する環状の端面全体には、防水部材の平板状部がカバーによって押し付けられて、収容部内を密封状態にすると共に、カバーの挿通孔を通って外方に突出するドーム部内には、操作部材の操作部が配置された構成とした。
即ち、側壁の開口部側に位置する環状の端面全体には、防水部材の平板状部がカバーによって押し付けられて、収容部内を密封状態にしたため、収容部内が確実に密封でき、従来に比して、防水が確実となると共に、その構成が簡単で、生産性の良好なものが得られる。
【００４４】
また、ドーム部の頂部には孔が設けられ、操作部の先端部に設けられた凸部が孔に挿通されて、ドーム部にカシメ付けられたため、押圧動作時、直ちに操作部を押圧できて、操作性の良好なものが得られる。
【００４５】
また、操作部材と筺体間には、操作部材を付勢する付勢部材が介在されて、操作部の先端部がドーム部の頂部の内面に当接したため、押圧動作時、直ちに操作部を押圧できて、操作性の良好なものが得られる。
【００４６】
また、カバーは、挿通孔を有する上面板と、この上面板から下方に延びる少なくとも一対の側面板を有し、この側面板と筺体の側壁とが係止手段によってスナップ結合されたため、その組立作業が簡単となり、生産性の良好なものが得られる。
【００４７】
また、収容部内に収容される本体部の外周は、収容部の外形に沿った形状で形成され、本体部が側壁の内面にガイドされて移動するようにしたため、本体部の移動の際のガイド面が多くなって、操作部材の移動の安定したものが得られる。
【００４８】
また、可動接点は、バネ性ある金属板が折り曲げられて形成され、開放部を設けて互いに対向して配置された第１，第２の基部と、互いに間隔を置いて配置され、第１，第２の基部を連結する第１，第２の連結部と、この第１，第２の連結部間に位置した状態で、互いに対向するように第１，第２の基部から突出して設けられた少なくとも２個の第１，第２の接触部とを備え、底壁から上方に延びる固定接点の接点部は、第１，第２の基部間に位置する開放部と、第１，第２の接触部間に位置し、操作部材の操作によって、可動接点が接点部の延びる方向に移動して、第１，第２の接触部を介して２個の固定接点間をＯＮ、ＯＦＦするようにした構成とした。
このように、可動接点の固定接点への接触は、一対の第１，第２の接触部で挟持するため、従来のようなバッティング接触によるチャタリングが無くなる。
また、可動接点の第１，第２の接触部は、接点部の延びる方向に移動するため、操作部材の移動方向に小型化できると共に、第１，第２の接触部で固定接点を挟持して接触するため、その接触が安定し、接触抵抗の少ないものが得られる。
また、可動接点の第１，第２の接触部は、第１，第２の接触部の延びる方向で、固定接点に接触して挟持するため、第１，第２の接触部の変形を少なくできる。
【００４９】
また、可動接点は、第１，第２の連結部がＵ字状に折り曲げられて形成されると共に、第１，第２の連結部間に設けられた孔内には、第１，第２の接触部が配置され、第１，第２の基部が第１，第２の接触部よりも底壁に近い位置に配置されて、固定接点が第１，第２の基部の開放部を通って第１，第２の接触部に至るようにしたため、両側に位置する連結部によって接触部が保護され、可動接点の組み立て時における接触部の変形を少なくできる。
【００５０】
また、本体部は、可動接点を収納するために下部に設けられた収納部と、この収納部の上部に設けられた貫通孔を有し、少なくとも本体部の移動時、接点部が貫通孔内に位置するようにしたため、貫通孔が接点部の逃げとなって、本体部を高さ方向に小さくできる。
【図面の簡単な説明】
【図１】本発明の密封型のプッシュスイッチを示す分解斜視図。
【図２】本発明の密封型のプッシュスイッチを示す要部断面図。
【図３】本発明の密封型のプッシュスイッチの他の実施例を示す要部断面図。
【図４】従来の密封型のプッシュスイッチの要部断面図。
【図５】従来の密封型のプッシュスイッチに係り、要部の拡大断面図。
【符号の説明】
１  筺体
１ａ  底壁
１ｂ  側壁
１ｃ  開口部
１ｄ  端面
１ｅ  収容部
１ｆ  突起
２  固定接点
２ａ  接点部
２ｂ  端子部
２ｃ  孔
３  防止部材
３ａ  平板状部
３ｂ  ドーム部
３ｃ  孔
４  カバー
４ａ  上面板
４ｂ  挿通孔
４ｃ  側面板
４ｄ  凹部
５  操作部材
５ａ  本体部
５ｂ  操作部
５ｃ  凸部
５ｄ  収納部
５ｅ  貫通孔
５ｆ  収容部
６  可動接点
６ａ  開放部
６ｂ  第１の基部
６ｃ  第２の基部
６ｄ  第１の連結部
６ｅ  第２の連結部
６ｆ  孔
６ｇ  第１の接触部
６ｈ  第２の接触部
７  付勢部材
【図１】
0004072365.tif 000002
【図２】
0004072365.tif 000003
【図３】
0004072365.tif 000004
【図４】
0004072365.tif 000005
【図５】
0004072365.tif 000006